(57)【要約】【課題】摩耗が生じる箇所が視認しにくい場合であっても、当該摩耗の程度を認識容易な形態で顕在化させうる摺動部材を提供する。【解決手段】摺動部材は、基体１０と、基体１０において第１主面１０１（摺動面）から所定深さ以上の深さ範囲に設けられた機能性部材２０と、を備えている。機能性部材２０は、色素含有組成物および香料を含有する香料含有組成物のうち少なくとも１つの素材により構成されている。【選択図】図１
2020014979.tif 000002
【特許請求の範囲】
【請求項１】
基体と、前記基体において摺動面から所定深さ以上の深さ範囲に設けられた、色素含有組成物および香料含有組成物のうち少なくとも１つの素材により構成されている機能性部材と、を備えていることを特徴とする摺動部材。
【請求項２】
請求項１記載の摺動部材において、
端面が前記摺動面の一部を構成するように前記基体に設けられ、潤滑性組成物からなる潤滑性部材をさらに備えていることを特徴とする摺動部材。
【請求項３】
請求項１または２記載の摺動部材において、
前記摺動面から複数の異なる深さ範囲のそれぞれに設けられた、異なる素材により構成されている複数の前記機能性部材を備えていることを特徴とする摺動部材。
【請求項４】
請求項１〜３のうちいずれか１つに記載の摺動部材において、
前記基体において、前記機能性部材が存在する前記摺動面からの深さ範囲と重複する深さ範囲にあって、かつ、前記基体の縁部まで延在する溝、穴または孔が形成されていることを特徴とする摺動部材。
【発明の詳細な説明】
【技術分野】
【０００１】
本発明は、摺動箇所における摩耗の程度を顕在化する機能を有する摺動部材に関する。
【背景技術】
【０００２】
池底と水面近傍とに渡って循環回動して汚泥などを一定の方向に掻寄せるチェーンフライト式掻寄機において、フライトのシューが一定の厚さだけ摩耗した際に目視可能となる目印が、シューの裏面側に設けられたチェ−ンフライト式掻寄機フライトのシューが提案されている（例えば、特許文献１参照）。例えば、シューの裏面に設けられた一定深さの凹孔が目印として用いられる。
【先行技術文献】
【特許文献】
【０００３】
【特許文献１】特開平１１−００５００５号公報
【発明の概要】
【発明が解決しようとする課題】
【０００４】
しかし、摺動部材において摩耗が生じる箇所が、当該摺動部材を構成要素とする機械の構造上の都合などにより視認しにくい場合、摺動部材の摩耗の程度を確認するためには機械の分解が必要となることもある。
【０００５】
そこで、本発明は、摩耗が生じる箇所が視認しにくい場合であっても、当該摩耗の程度を認識容易な形態で顕在化させうる摺動部材を提供することを目的とする。
【課題を解決するための手段】
【０００６】
本発明の摺動部材は、基体と、前記基体において摺動面から所定深さ以上の深さ範囲に設けられた、色素含有組成物および香料含有組成物のうち少なくとも１つの素材により構成されている機能性部材と、を備えていることを特徴とする。
【０００７】
本発明の摺動部材によれば、基体が摺動面において他の物体に対して摺動することにより摩耗し、当該摩耗量が所定深さに至ると機能性部材が基体の摺動面に露出する。機能性部材を構成する素材が色素含有組成物である場合、当該組成物に含有されている色素（または色素含有組成物の微小片）が当該摺動面および他の物体の間隙に流出し、当該間隙の外縁まで流出することができる。色素には、可視光線の波長により特定される色を帯びた顔料および染料のほか、特定波長帯の光の照射により蛍光を発する顔料および染料が含まれていてもよい。機能性部材を構成する素材が香料含有組成物である場合、当該香料含有組成物に含有されている香料が当該摺動面および他の物体の間隙に流出し、当該間隙の外縁まで流出することができる。
【０００８】
このため、摺動部材が摺動面において他の物体または部材と定常的に当接しているため、当該摺動面の視認が困難である場合も、摺動面の外側に流出した色素および香料のうち少なくとも一方を通じて視覚的かつ／または嗅覚的に、摺動部材が所定深さ以上摩耗したことを周囲の人間に認識させることができる。
【０００９】
本発明の摺動部材において、端面が前記摺動面の一部を構成するように前記基体に設けられ、潤滑性組成物からなる潤滑性部材をさらに備えていることが好ましい。
【００１０】
当該構成の摺動部材によれば、潤滑性部材から基体の摺動面に展延した潤滑性組成物または流出した潤滑油を媒体として、機能性部材に由来する色素および／または香料が当該摺動面および他の物体の間隙の外縁に円滑に案内しうる。
【００１１】
本発明の摺動部材において、前記摺動面から複数の異なる深さ範囲のそれぞれに設けられた、異なる素材により構成されている複数の前記機能性部材を備えていることが好ましい。
【００１２】
当該構成の摺動部材によれば、基体の摺動面および他の物体の間隙に流出した機能性部材由来の色素および／または香料（またはこれらの組み合わせ）の相違により、基体の摩耗量の相違を視覚的かつ／または嗅覚的に周囲の人間に認識させることができる。
【００１３】
本発明の摺動部材において、前記基体において、前記機能性部材が存在する前記摺動面からの深さ範囲と重複する深さ範囲にあって、かつ、前記基体の縁部まで延在する溝、穴または孔が形成されていることが好ましい。
【００１４】
当該構成の摺動部材によれば、基体が摺動面において摩耗し、当該摩耗量が所定深さまで至った際、基体の摺動面には溝、穴または孔に由来する基体の端部まで延在する通路が露出する。このため、基体の機能性部材に由来する色素および／または香料が、当該通路を通じて基体の摺動面および他の物体の間隙の外縁に円滑に案内されうる。
【図面の簡単な説明】
【００１５】
【図１】本発明の第１実施形態としての摺動部材の構成に関する説明図。
【図２】本発明の第１実施形態としての摺動部材の機能に関する説明図。
【図３】本発明の第２実施形態としての摺動部材の構成に関する説明図。
【図４】本発明の第２実施形態としての摺動部材の機能に関する説明図。
【図５】本発明の第３実施形態としての摺動部材の構成に関する説明図。
【図６】本発明の第４実施形態としての摺動部材の構成に関する説明図。
【図７】本発明の第５実施形態としての摺動部材の構成に関する説明図。
【図８】本発明の第６実施形態としての摺動部材の構成に関する説明図。
【図９】本発明の第７実施形態としての摺動部材の構成に関する説明図。
【発明を実施するための形態】
【００１６】
（第１実施形態）
（構成）
図１に示されている本発明の第１実施形態としての摺動部材は、基体１０と、一または複数の機能性部材２０と、一または複数の潤滑性部材４０と、を備えている。
【００１７】
基体１０は、鉄または高力黄銅等の銅合金等の金属により用途に適当する任意の形状に形成されている。例えば、摺動部材が滑り軸受である場合、基体１０は略円筒状に形成される。摺動部材がガイドレールに沿って摺動するスライダである場合、基体１０はガイドレールに沿って摺動しうる適当な形状に形成される。
【００１８】
基体１０には、第２主面１０２から第１主面１０１に向かって、第２主面１０２に対して垂直に延在する穴により構成されている第１嵌入部１２０が形成されている。基体１０には、第１主面１０１（摺動面）から第２主面１０２まで、第１主面１０１に対して垂直に（基体１０の厚み方向に）延在する孔により構成されている第２嵌入部１４０が形成されている。第２嵌入部１４０は、基体１０を貫通しない穴により構成されていてもよい。第１嵌入部１２０および第２嵌入部１４０のそれぞれの形状、サイズ、数および配置態様は任意に設計される。
【００１９】
機能性部材２０は、基体１０の第１嵌入部１２０に相応の形状に形成され、当該第１嵌入部１２０に嵌入されている。基体１０の第１主面１０１と第１嵌入部１２０に嵌入された機能性部材２０（第１嵌入部１２０を構成する穴の底面）との間隔Δ（所定深さ）は、例えば０．０１〜０．１ｍｍの範囲に含まれるように設計されている。潤滑性部材４０は、基体１０の第２嵌入部１４０に相応の形状に形成され、一方の端面が基体１０の第１主面１０１の一部を構成するように第２嵌入部１４０に嵌入されている。
【００２０】
（２）多孔質タイプの香料含有組成物は、黒鉛、セラミックスもしくは金属等またはこれらの組み合わせからなる多孔質体に香料を含浸させた部材である。
【００２１】
複数の機能性部材２０のうち、一部の機能性部材２０が色素含有組成物により構成され、残りの機能性部材２０が香料含有組成物により構成されていてもよい。
【００２２】
潤滑油には、金属と反応して当該金属の表面に皮膜を作り、金属表面の摩擦係数を下げる皮膜効果を発揮する添加剤が添加されている。添加剤としては、例えば、常温領域（例えば２０度〜３０度）で皮膜効果を発揮するリン系添加剤のほか、高温領域（例えば１００度以上）で皮膜効果を発揮する硫黄系添加剤および塩素系添加剤の少なくとも一方が用いられる。
【００２３】
（機能）
本発明の第１実施形態としての摺動部材によれば、基体１０が第１主面１０１において他の物体に対して摺動することにより摩耗し、当該摩耗量が所定深さΔに至ると、図２に示されているように機能性部材２０が基体１０の摺動面１０１に露出する。機能性部材２０を構成する素材が色素含有組成物である場合、基体１０の第１主面１０１における摩耗がさらに進行する過程で、当該樹脂に含有されている色素（または色素含有組成物の微小片）が当該摺動面１０１および他の物体の間隙に流出し、当該間隙の外縁まで流出することができる。機能性部材２０を構成する素材が香料含有組成物である場合、当該香料含有組成物に含有されている香料が当該摺動面１０１および他の物体の間隙に流出し、当該間隙の外縁まで流出することができる。潤滑性部材４０から基体１０の摺動面１０１に流出した潤滑油を媒体として、機能性部材２０に由来する色素および／または香料が当該摺動面１０１および他の物体の間隙の外縁に円滑に案内しうる。
【００２４】
このため、摺動部材が摺動面（第１主面１０１）において他の物体または部材と定常的に当接しているため、当該摺動面１０１の視認が困難である場合も、摺動面１０１の外側に流出した色素および香料のうち少なくとも一方を通じて視覚的かつ／または嗅覚的に、摺動部材が所定深さΔ以上摩耗したことを周囲の人間に認識させることができる。
【００２５】
（第２実施形態）
（構成）
図３に示されている本発明の第２実施形態としての摺動部材においては、本発明の第１実施形態としての摺動部材の基体１０において、機能性部材２０が存在する第１主面１０１からの深さ範囲［Δ，Ｄ］（「Ｄ」は第１主面１０１と第２主面１０２との間隔または基体１０の厚さ）と重複する深さ範囲［０，Δ＋ｄ］にあって、かつ、基体１０の縁部まで延在する溝１１０が形成されている。溝１１０は、機能性部材２０を回避するように延在していてもよく、機能性部材２０に一部で接するように延在していてもよい。溝１１０の形状は、矩形状、三角形状、半円形状、半楕円形状等、様々な形状であってもよい。
溝１１０に代えて、基体１０において機能性部材２０が存在する第１主面１０１からの深さ範囲［Δ，Ｄ］と重複する深さ範囲において、基体１０の縁部まで（例えば第１主面１０１に対して平行に）延在する穴または孔が形成されていてもよい。穴または孔の形状も矩形状、三角形状、半円形状、半楕円形状等、様々な形状であってもよい。その他の構成は第１実施形態と共通なので、当該共通の構成については図１および図２と同一符号を用いるとともに説明を省略する。
【００２６】
（機能）
本発明の第２実施形態としての摺動部材によれば、基体１０が摺動面である第１主面１０１において摩耗し、当該摩耗量が所定深さΔまで至った際、図４に示されているように機能性部材２０が露出する。これに加えて、同じく図４に示されているように、基体１０の摺動面１０１には、溝１１０（または穴もしくは孔）に由来する基体１０の端部まで延在する通路１１０（深さｄ−Δ）が存在する。このため、基体１０の第１主面１０１における摩耗がさらに進行する過程で、基体１０の機能性部材２０に由来する色素および／または香料が、当該通路１１０を通じて基体１０の摺動面１０１および他の物体の間隙の外縁に円滑に案内されうる。
【００２７】
（第３実施形態）
（構成）
図５に示されている本発明の第３実施形態としての摺動部材においては、本発明の第１実施形態としての摺動部材において、深さの異なる穴により構成されている２種類の第１嵌入部１２１、１２２が基体１０に形成され、当該２種類の第１嵌入部１２１、１２２のそれぞれに、異なる素材により構成されている第１機能性部材２１および第２機能性部材２２のそれぞれが嵌入されている。
【００２８】
基体１０の第１主面１０１と一方の第１嵌入部１２１に嵌入された第１機能性部材２１との間隔Δ１（第１所定深さ）は、基体１０の第１主面１０１と他方の第１嵌入部１２２に嵌入された第２機能性部材２２との間隔Δ２（第２所定深さ）よりも小さい。その他の構成は第１実施形態と共通なので、当該共通の構成については図１および図２と同一符号を用いるとともに説明を省略する。
【００２９】
（機能）
本発明の第３実施形態としての摺動部材によれば、基体１０が摺動面１０１において他の物体に対して摺動することにより摩耗し、当該摩耗量が第１所定深さΔ１に至ると第１機能性部材２１が基体１０の摺動面１０１に露出する。基体１０の第１主面１０１における摩耗がさらに進行する過程で、第１機能性部材２１に由来する色素および／または香料が当該摺動面１０１および他の物体の間隙に流出し、当該間隙の外縁まで流出することができる。基体１０の摺動面１０１における摩耗量が第２所定深さΔ２に至ると第１機能性部材２１に加えてまたは代えて第２機能性部材２２が基体１０の摺動面１０１に露出する。さらに基体１０の第１主面１０１における摩耗が進行する過程で、第１機能性部材２１に由来する色素および／または香料に加えてまたは代えて、第２機能性部材２２に由来する色素および／または香料が当該摺動面１０１および他の物体の間隙に流出し、当該間隙の外縁まで流出することができる。基体１０の摺動面１０１および他の物体の間隙に流出した機能性部材２１、２２由来の色素および／または香料（またはこれらの組み合わせ）の相違により、基体１０の摩耗量の相違を視覚的かつ／または嗅覚的に周囲の人間に認識させることができる。
【００３０】
例えば、第１機能性部材２１が第１色素を含有する第１色素含有組成物により構成され、第２機能性部材２２が第１色素とは相違する色を呈する第２色素を含有する第２色素含有組成物により構成されていてもよい。この場合、基体１０の摺動面１０１および他の物体の間隙に第１機能性部材２１由来の第１色素が流出することにより、基体１０の摺動面１０１における摩耗量が第１所定深さΔ１に達したことを、周囲の人間にその視覚を通じて認識させることができる。基体１０の摺動面１０１および他の物体の間隙に第２機能性部材２２由来の第２色素が流出することにより、基体１０の摺動面１０１における摩耗量が第２所定深さΔ２に達したことを、周囲の人間にその視覚を通じて認識させることができる。
【００３１】
第１機能性部材２１が第１香料を含有する第１香料含有組成物により構成され、第２機能性部材２２が第１香料とは相違する香り・匂いを呈する第２香料を含有する第２香料含有組成物により構成されていてもよい。この場合、基体１０の摺動面１０１および他の物体の間隙に第１機能性部材２１由来の第１香料が流出することにより、基体１０の摺動面１０１における摩耗量が第１所定深さΔ１に達したことを、周囲の人間にその嗅覚を通じて認識させることができる。基体１０の摺動面１０１および他の物体の間隙に第２機能性部材２２由来の第２香料が流出することにより、基体１０の摺動面１０１における摩耗量が第２所定深さΔ２に達したことを、周囲の人間にその嗅覚を通じて認識させることができる。
【００３２】
第１機能性部材２１が色素含有組成物により構成され、第２機能性部材２２が香料含有組成物により構成されていてもよい。この場合、基体１０の摺動面１０１における摩耗量が第１所定深さΔ１に達したことを、周囲の人間にその視覚を通じて認識させ、かつ、基体１０の摺動面１０１における摩耗量が第２所定深さΔ２に達したことを当該人間にその嗅覚を通じて認識させることができる。
【００３３】
第１機能性部材２１が香料含有組成物により構成され、第２機能性部材２２が色素含有組成物により構成されていてもよい。この場合、基体１０の摺動面１０１における摩耗量が第１所定深さΔ１に達したことを、周囲の人間にその嗅覚を通じて認識させ、かつ、基体１０の摺動面１０１における摩耗量が第２所定深さΔ２に達したことを当該人間にその視覚を通じて認識させることができる。
【００３４】
複数の第１機能性部材２１のうち一部の第１機能性部材２１が色素含有組成物により構成され、残りの第１機能性部材２１が香料含有組成物により構成されていてもよい。複数の第２機能性部材２２のうち一部の第２機能性部材２２が色素含有組成物により構成され、残りの第２機能性部材２２が香料含有組成物により構成されていてもよい。
【００３５】
（第４実施形態）
（構成）
図６に示されている本発明の第４実施形態としての摺動部材は、基体１０が別個の第１基体１１および第２基体１２により構成され、機能性部材２０が第１基体１１および第２部材１２により挟まれるように基体１０に設けられている。第１基体１１の厚さ、基体１０の第１主面１０１（第１基体１１側の主面）と機能性部材２０との間隔Δが「所定深さ」に相当する。
【００３６】
（機能）
本発明の第４実施形態としての摺動部材によれば、第１実施形態と同様に、基体１０が第１主面１０１において他の物体に対して摺動することにより摩耗し、当該摩耗量が所定深さΔに至ると、機能性部材２０が基体１０の摺動面１０１に露出する。機能性部材２０を構成する素材が色素含有組成物である場合、当該樹脂に含有されている色素（または色素含有組成物の微小片）が当該摺動面１０１および他の物体の間隙に流出し、当該間隙の外縁まで流出することができる。機能性部材２０を構成する素材が香料含有組成物である場合、当該香料含有組成物に含有されている香料が当該摺動面１０１および他の物体の間隙に流出し、当該間隙の外縁まで流出することができる。このため、摺動部材が摺動面（第１主面１０１）において他の物体または部材と定常的に当接しているため、当該摺動面１０１の視認が困難である場合も、摺動面１０１の外側に流出した色素および香料のうち少なくとも一方を通じて視覚的かつ／または嗅覚的に、摺動部材が所定深さΔ以上摩耗したことを周囲の人間に認識させることができる。
【００３７】
（第５実施形態）
（構成）
図７に示されている本発明の第５実施形態としての摺動部材によれば、機能性部材２０および潤滑性部材４０が一体的に組み合わせられた構造を有する。具体的には、基体１０の厚さＤと同一の高さを有し、かつ、厚さΔの天板部を有する略有天筒状の潤滑性部材４０が、当該天板部の端面が基体１０の第１主面１０１の一部を構成するように、基体１０を厚さ方向に貫通する第２嵌入部１４０に嵌入されている。また、略有天筒状の潤滑性部材４０の中空部を充填するように略柱状の機能性部材２０が当該中空部に嵌入されている。
【００３８】
（機能）
本発明の第５実施形態としての摺動部材によれば、基体１０および潤滑性部材４０の天板部が第１主面１０１において他の物体に対して摺動することにより摩耗し、当該摩耗量が所定深さΔに至ると、機能性部材２０が基体１０の摺動面１０１に露出する。機能性部材２０を構成する素材が色素含有組成物である場合、さらに基体１０の第１主面１０１における摩耗が進行する過程で、当該樹脂に含有されている色素（または色素含有組成物の微小片）が当該摺動面１０１および他の物体の間隙に流出し、当該間隙の外縁まで流出することができる。機能性部材２０を構成する素材が香料含有組成物である場合、当該香料含有組成物に含有されている香料が当該摺動面１０１および他の物体の間隙に流出し、当該間隙の外縁まで流出することができる。このため、摺動部材が摺動面（第１主面１０１）において他の物体または部材と定常的に当接しているため、当該摺動面１０１の視認が困難である場合も、摺動面１０１の外側に流出した色素および香料のうち少なくとも一方を通じて視覚的かつ／または嗅覚的に、摺動部材が所定深さΔ以上摩耗したことを周囲の人間に認識させることができる。
【００３９】
（第６実施形態）
（構成）
図８に示されている本発明の第６実施形態としての摺動部材によれば、機能性部材２０が多重構造を有している。具体的には、摺動部材が、基体１０の穴状の第１嵌入部１２０に嵌入された略有天筒状の第１機能性部材２１と、第１機能性部材２１の中空部に嵌入された略有天筒状の第２機能性部材２２と、第２機能性部材２２の中空部に嵌入された第３機能性部材２３と、を備えている。第１機能性部材２１、第２機能性部材２２および第３機能性部材２３のそれぞれの上端面は、基体１０の第１主面１０１からその厚さ方向にΔ１、Δ２およびΔ３のそれぞれだけ離間して位置している。前述の第３実施形態と同様に、各機能性部材２１、２２および２３の組み合わせとして、含有色素および／または前述のタイプや色味が相違する色素含有組成物の組み合わせ、含有香料および／または前述のタイプや香気成分が相違する香料含有組成物の組み合わせ、一または複数の色素含有組成物および一または複数の香料含有組成物の組み合わせがあげられる。
【００４０】
（機能）
本発明の第６実施形態としての摺動部材によれば、基体１０が摺動面１０１において他の物体に対して摺動することにより摩耗し、当該摩耗量が第１所定深さΔ１に至ると第１機能性部材２１が基体１０の摺動面１０１に露出する。基体１０の第１主面１０１における摩耗がさらに進行する過程で、第１機能性部材２１に由来する色素および／または香料が当該摺動面１０１および他の物体の間隙に流出し、当該間隙の外縁まで流出することができる。
【００４１】
基体１０の摺動面１０１における摩耗量が第２所定深さΔ２に至ると第１機能性部材２１に加えて第２機能性部材２２が基体１０の摺動面１０１に露出する。基体１０の第１主面１０１における摩耗がさらに進行する過程で、第１機能性部材２１に由来する色素および／または香料に加えて、第２機能性部材２２に由来する色素および／または香料が当該摺動面１０１および他の物体の間隙に流出し、当該間隙の外縁まで流出することができる。
【００４２】
基体１０の摺動面１０１における摩耗量が第３所定深さΔ３に至ると第１機能性部材２１および第２機能性部材２２に加えて第３機能性部材２３が基体１０の摺動面１０１に露出する。基体１０の第１主面１０１における摩耗がさらに進行する過程で、第１機能性部材２１および第２機能性部材２２のそれぞれに由来する色素および／または香料に加えて、第３機能性部材２３に由来する色素および／または香料が当該摺動面１０１および他の物体の間隙に流出し、当該間隙の外縁まで流出することができる。
【００４３】
基体１０の摺動面１０１および他の物体の間隙に流出した機能性部材２１、２２および２３のそれぞれに由来する色素および／または香料（またはこれらの組み合わせ）の相違により、基体１０の摩耗量の相違を視覚的かつ／または嗅覚的に周囲の人間に認識させることができる。
【００４４】
（第７実施形態）
（構成）
図９に示されている本発明の第７実施形態としての摺動部材によれば、基体１０を厚さ方向に貫通する第１嵌入部１２０に、上端面が基体１０の第１主面１０１からΔだけ引っ込んで位置するように略柱状の機能性部材２０が嵌入されている。
【００４５】
（機能）
本発明の第７実施形態としての摺動部材によれば、基体１０が第１主面１０１において摩耗していない状態でも、第１嵌入部１２０の開口部を通じて機能性部材２０が基体１０の外部に露出している。基体１０が第１主面１０１において他の物体に対して摺動することにより摩耗し、当該摩耗量が所定深さΔに至ると、機能性部材２０の上端面が基体１０の摺動面１０１と略同一の面を構成する。基体１０の第１主面１０１における摩耗がさらに進行する過程で、機能性部材２０を構成する素材が色素含有組成物である場合、当該樹脂に含有されている色素（または色素含有組成物の微小片）が当該摺動面１０１および他の物体の間隙に流出し、当該間隙の外縁まで流出することができる。機能性部材２０を構成する素材が香料含有組成物である場合、当該香料含有組成物に含有されている香料が当該摺動面１０１および他の物体の間隙に流出し、当該間隙の外縁まで流出することができる。
【００４６】
このため、摺動部材が摺動面（第１主面１０１）において他の物体または部材と定常的に当接しているため、当該摺動面１０１の視認が困難である場合も、摺動面１０１の外側に流出した色素および香料のうち少なくとも一方を通じて視覚的かつ／または嗅覚的に、摺動部材が所定深さΔ以上摩耗したことを周囲の人間に認識させることができる。
【００４７】
（本発明の他の実施形態）
第１〜第３、第６および第７実施形態の摺動部材において、基体１０における第２嵌入部１４０およびそこに嵌入される潤滑性部材４０が省略されてもよい。
【００４８】
第１〜第３、第６および第７実施形態において、第２嵌入部１４０が第１嵌入部１２０と同様に基体１０の第２主面１０２から第１主面１０１に向かって延在する穴により構成され、第２嵌入部１４０に相応する形状に形成された潤滑性部材４０が第２嵌入部１４０に嵌入されていてもよい。基体１０の第１主面１０１と潤滑性部材４０との間隔は、基体１０の第１主面１０１と機能性部材２０との間隔Δと同一であってもよく、小さくてもよい。
【００４９】
当該他の実施形態によれば、基体１０が第１主面１０１において他の物体に対して摺動することにより摩耗し始めてから、遅くとも当該摩耗量が所定深さΔに至るまでに、潤滑性部材４０が基体１０の摺動面１０１に露出する。潤滑性部材４０由来の潤滑油により、基体１０の摺動面１０１における摩耗が抑制されうる。また、基体１０の第１主面１０１における摩耗量が所定深さΔに至ると、機能性部材２０が基体１０の摺動面１０１に露出するので、第１実施形態と同様に周囲の人間にその視覚および／または嗅覚を通じて、当該摩耗量が所定深さΔに至ったことを認識させることができる。
【符号の説明】
【００５０】
１０‥基体、１１‥第１基体、１２‥第２基体、２０‥機能性部材、２１‥第１機能性部材、２２‥第２機能性部材、４０‥潤滑性部材、１０１‥第１主面（摺動面）、１０２‥第２主面、１２０、１２１、１２２‥第１嵌入部、１４０‥第２嵌入部。
【図１】
2020014979.tif 000003
【図２】
2020014979.tif 000004
【図３】
2020014979.tif 000005
【図４】
2020014979.tif 000006
【図５】
2020014979.tif 000007
【図６】
2020014979.tif 000008
【図７】
2020014979.tif 000009
【図８】
2020014979.tif 000010
【図９】
2020014979.tif 000011